(57)【要約】【課題】電子記録媒体の盤面を参照しただけでは、媒体の盤面に文字情報などが記録されていないと、その媒体の所有者や著作権者、管理者などを特定することは困難だった。また、電子記録媒体の盤面を参照しただけでは、電子記録媒体に記録されている内容物について情報が蓄積されているデータベースとの連動は困難だった。【解決手段】シグネチャ画像（本人識別画像、または媒体特定画像を意味する）をＤＩＳＣなどの電子記録媒体表面に印刷することで、媒体表面の画像を参照するだけで、記録媒体を他の情報と関連付ける印刷方式である。【選択図】図２
2006085897.tif 000002
【特許請求の範囲】
【請求項１】
予め登録しておいたシグネチャ画像（本人識別画像、または媒体特定画像を意味する）をＤＩＳＣなどの電子記録媒体表面に同時印刷することで、媒体表面の画像を参照するだけで、記録媒体を他の情報と関連付ける印刷方式。
【請求項２】
シグネチャ画像に予め登録しておいた人物の顔写真画像などを電子記録媒体表面に同時印刷することで、印刷物の著作権者・執筆者・所有者・管理者などの人物情報を、直感的に関連付けることのできる印刷方式。
【請求項３】
シグネチャ画像にバーコードやＱＲコードなどの静止画コード情報を生成し、同時印刷することで、読取装置を用いて印刷物とそれに関連したデータベースを連動させることのできる印刷方式。
【発明の詳細な説明】
【技術分野】
【０００１】本発明は、ＣＤやＤＶＤなどの電子記録媒体の盤面にシグネチャ画像を一緒に印刷させることで、媒体表面を参照するだけで、人物やその他の情報との関連付けをおこなう方式に関するものである。
【背景技術】
【０００２】従来、電子記録媒体の盤面にシグネチャ画像を同時印刷する印刷方式に関する特許文献は見当たらない。
【発明の開示】
【発明が解決しようとする課題】
【０００３】電子記録媒体の盤面を参照しても、媒体の盤面に文字情報などが記録されていないと、その媒体の所有者や著作権者、管理者などを特定することは困難だった。【０００４】また、電子記録媒体の盤面を参照しただけでは、電子記録媒体の内容物について情報が蓄積されているデータベースとの連動は困難だった。【０００５】また、電子記録媒体の盤面面積は限られているため、大量の文字情報などを印刷しようとしても文字のサイズを小さくすることしか選択肢が無く、これにより文字が小さ過ぎて読み出せないなどの弊害も生じていた。
【課題を解決するための手段】
【０００６】上記の課題を解決するため、本発明は電子記録媒体の盤面に印刷をおこなう際、シグネチャ画像を一緒に印刷させることで、その電子記録媒体の盤面参照のみで、他の関連する情報と関連付けをおこなうことができる特徴を持つ。【０００７】また、シグネチャ画像に人物の顔写真などを登録しておくことで、盤面参照するだけで文字情報を読み込まなくても、その媒体の所有者や著作権者、管理者などを簡易に認識できる特徴を持つ。【０００８】また、シグネチャ画像にバーコードやＱＲコードなどの静止画コード情報を一緒に印刷させることで、ハードウェアの読取装置を用い、電子記録媒体と他のデータベースを連動させることができる特徴を持つ。【０００９】また、シグネチャ画像に高密度な情報格納が可能な二次元コードであるＱＲコードを用いることで、限られた盤面に大量の文字情報を含めることもできる特徴を持つ。
【発明の効果】
【００１０】前述の課題を解決するための手段を具体化することで、電子記録媒体の盤面を参照するだけで、他の情報と容易に関連付けを実現することが可能となる。【００１１】また、人物の顔写真のように人目で判読可能な画像情報が電子記録媒体の盤面に印刷されていることで、読み出し易いように限られた媒体の盤面に大きな文字情報を印刷しなくても、人物特定が可能になる。【００１２】また、電子記録媒体の盤面に記録された文字情報を目で読み込むのではなく、バーコードやＱＲコードなどの静止画コードを用いることで、人的な文字情報の読み出しをせずとも、ハードウェアを用いて、盤面に印刷できない大量な電子記録媒体の記録内容を蓄積している記録内容のデータベースと連動することで、電子記録媒体の内容を直接参照することなく、内容特定や検索が可能となる。【００１３】また、文字などで過度の情報量を電子記録媒体の盤面に記録せずに、その媒体の関係する人物特定やデータベースとの連動が可能になるので、視力の弱い使用者にも有益である。
【発明を実施するための最良の形態】
【００１４】本発明の実施形態について、発明の適用範囲である印刷対象物のうち、印刷可能なＣＤやＤＶＤなどのＤＩＳＣ媒体を例にとり、以下に説明する。【００１５】本発明のハードウェア接続構成図を図５に示す。本発明は画像処理はソフトウェアで行うが、そのためのハードウェアとしてコンピュータ２、プリンター６が主要構成である。実際に利用する際には補助装置としてキーボード４、マウス５、ディスプレイ３などを利用する。【００１６】コンピュータに格納されるプログラムの構成図を図６に示す。本発明は６つの主要プログラムから構成される。【００１７】所有者や管理者など人物特定の可能な本人識別画像であるシグネチャー画像をＤＩＳＣ媒体に印刷するためには、事前にその本人の顔写真や似顔絵などの静止画像を準備しておく。図６のシグネチャー画像設定プログラム１０は、静止画像の格納されているコンピュータ２内の記憶装置のどこに画像ファイルが格納されているかや、使用者情報を指定し記憶させる手段である。指定されるとその情報はシグネチャー画像設定プログラム１０によってコンピュータ２に取り付けられているハードディスクのような不揮発性の記録装置にパス情報として記憶される。【００１８】ＤＩＳＣが作成され、盤面への印刷が行われる際、複数の使用者の居る場合がある。そこで、現在の使用者を特定し、シグネチャー画像設定プログラム１０で登録されている情報のどれを用いて印刷データにオーバーレイさせるかを特定する必要がある。
個人特定プログラム１１は、現在の使用者、またはその環境での責任者などをコンピュータ２のＤＩＳＣ読取装置８のＤＩＳＣ内情報を読み出したり、環境設定されている情報を元に不揮発性記憶装置に記憶されている使用者情報を照合し特定して、静止画像をコンピュータ２のメモリ、または不揮発性記憶装置に保存する。【００１９】人物特定ではなく、媒体特定、もしくは媒体情報を高密度化ＱＲコードなどで印刷させる場合は、媒体特定プログラム１２により判断をおこない、コンピュータ２内のメモリに情報を記憶する。【００２０】固定の媒体情報は媒体特定プログラム１２により収集されメモリに記憶されているが、使用者が更に追加したい大量のデータも二次元コード化して盤面印刷を支援するため、媒体情報入力プログラム１３がその入力手段となっている。媒体内の内容情報をキーボード４から文字情報として入力したり、ＤＩＳＣ読取装置８からＤＩＳＣ内の論理データを読み出したものを取得し、コンピュータ２のメモリに記憶する。【００２１】バーコード生成プログラム１４は、媒体情報入力プログラム１３がコンピュータ２のメモリに記憶した情報を元に、バーコードやＱＲコードと言った二次元コードを画像情報として生成し、コンピュータ２のメモリ、もしくはハードディスクのような不揮発性記憶装置に記憶する。【００２２】ＤＩＳＣの盤面に人物特定のための本人識別画像、または二次元コード画像を印刷するよう指示があった場合、個人特定プログラム１１、もしくはバーコード生成プログラム１４が保存したシグネチャー画像を印刷データ送出プログラム１５が盤面印刷時にオーバーレイさせて、コンピュータ２に接続されているプリンタ６に印刷データとして送出を行い印刷をさせる。
図７は人物特定を目的とした盤面印刷時のフローチャートの例である。【００２３】人物特定をおこなうために、図１のような顔写真の静止画像を電子記録媒体印刷用ソフトウェアに予め登録しておく。印刷用ソフトウェアは、電子記録媒体の盤面印刷をおこなう際、任意の盤面位置に、登録されている静止画情報を図２のようにオーバーレイさせて同時に印刷をおこなう。盤面を目視するだけで所有者などの人物特定を容易におこなうことができる。【００２４】バーコードやＱＲコードなどを印刷する場合、電子記録媒体印刷用ソフトウェアが印刷時に、図３のような静止画コード画像を生成する。生成した画像を電子記録媒体の盤面に印刷する際、任意の盤面位置に、生成した静止画コード画像を図４のようにオーバーレイさせて同時に印刷をおこなう。盤面をバーコードリーダーやバーコード読み取り機能のついた携帯電話などの装置で読み出すことができる。
【実施例】
【００２５】本発明により、課題が解決される実施例を図２、及び図４に明示する。
【図面の簡単な説明】
【００２６】
【図１】人物特定するための顔写真の静止画の図である。
【図２】顔写真の静止画像を電子記録媒体の盤面にオーバーラップ印刷させた図である。
【図３】ソフトウェアが印刷時に生成するＱＲコード例の図である。
【図４】生成したＱＲコードを電子記録媒体の盤面にオーバーラップ印刷させた図である。
【図５】ハードウェア接続構成図である。
【図６】コンピュータに格納されるプログラムの構成図である。
【図７】人物特定可能なＤＩＳＣ盤面印刷を行うフローチャート図である。
【符号の説明】
【００２７】１    ハードウェア接続構成図全体
２    コンピュータ
３    ディスプレイ
４    キーボード
５    マウス
６    プリンター
７    ＤＩＳＣ
８    ＤＩＳＣ読取装置
９    プログラム構成図全体
１０  シグネチャー画像設定プログラム
１１  個人特定プログラム
１２  媒体特定プログラム
１３  媒体情報入力プログラム
１４  バーコード生成プログラム
１５  印刷データ送出プログラム
【図１】
2006085897.tif 000003
【図２】
2006085897.tif 000004
【図３】
2006085897.tif 000005
【図４】
2006085897.tif 000006
【図５】
2006085897.tif 000007
【図６】
2006085897.tif 000008
【図７】
2006085897.tif 000009